(57)【要約】【課題】水平外力を負担するためのブレースを通じて発生する上下方向の引き抜き力を合理的に分散させることにより、仮設構造を既存梁に接合するための後施工アンカーの施工を軽減することが可能な既存建物の免震化施工中の仮設構造を提供する。【解決手段】上下方向柱軸力を支持しつつ柱梁架構１に作用する水平外力を支持する既存建物の免震化施工中の仮設構造であって、既存柱３から間隔を隔てて、柱梁架構の上下一対の既存梁４ａ，４ｂに定着して設置され、柱梁架構に作用する水平外力を支持する長方形状の仮設ブレース架構７と、仮設ブレース架構と既存柱との間に立設され、上下方向柱軸力を支持する仮設支柱５と、仮設ブレース架構に、仮設支柱の上下両端部５ａ，５ｂと上下一対の既存梁との間へ延長して設けられ、水平外力によって仮設ブレース架構に生じる上下方向引き抜き力を伝達して仮設支柱に支持させる延設部１４ａ，１４ｂとを備えた。【選択図】図１
2015166528.tif 000002
【特許請求の範囲】
【請求項１】
既存建物に設けられる柱梁架構の既存柱の中間部分を切除して形成される切除空間に免震装置を設置して、該既存建物を免震化する際に、少なくとも切除空間の形成前から免震作用が得られる免震装置の設置完了までの間、上下方向柱軸力を支持しつつ該柱梁架構に作用する水平外力を支持する既存建物の免震化施工中の仮設構造であって、
上記既存柱から間隔を隔てて、上記柱梁架構の上下一対の既存梁に定着して設置され、該柱梁架構に作用する水平外力を支持する長方形状の仮設ブレース架構と、
該仮設ブレース架構と上記既存柱との間に立設され、上下方向柱軸力を支持する仮設支柱と、
上記仮設ブレース架構に、上記仮設支柱の上下両端部と上下一対の上記既存梁との間へ延長して設けられ、水平外力によって該仮設ブレース架構に生じる上下方向引き抜き力を伝達して該仮設支柱に支持させる延設部とを備えたことを特徴とする既存建物の免震化施工中の仮設構造。
【請求項２】
前記仮設ブレース架構は、上下一対の前記既存梁それぞれに定着される上下一対の枠梁と、左右一対の前記既存柱から間隔を隔てて配設され、上記枠梁を上下方向に連結する左右一対の枠柱と、これら枠柱と枠梁で取り囲まれた内部に配設されるブレースとから構成され、前記延設部は上記枠梁に一体的に設けられることを特徴とする請求項１に記載の既存建物の免震化施工中の仮設構造。
【請求項３】
前記延設部は、前記既存梁に定着されて当該既存梁を補強することを特徴とする請求項１または２に記載の既存建物の免震化施工中の仮設構造。
【請求項４】
前記延設部は、少なくとも前記仮設支柱の端部周辺が前記既存梁に定着されて当該既存梁を補強することを特徴とする請求項１または２に記載の既存建物の免震化施工中の仮設構造。
【請求項５】
前記延設部は、前記既存柱に対し、水平方向に接合されることを特徴とする請求項１〜４いずれかの項に記載の既存建物の免震化施工中の仮設構造。
【発明の詳細な説明】
【技術分野】
【０００１】
本発明は、水平外力を負担するためのブレースを通じて発生する上下方向の引き抜き力を合理的に分散させることにより、仮設構造を既存梁に接合するための後施工アンカーの施工を軽減することが可能な既存建物の免震化施工中の仮設構造に関する。
【背景技術】
【０００２】
既存建物に設けられる柱梁架構の既存柱の中間部分を切除して形成される切除空間に免震装置を設置することにより、居ながら施工で既存建物を免震化する工法として、例えば特許文献１が知られている。
【０００３】
特許文献１の「既設建物の免震化工法」は、対象柱から仮設支持材に柱負担荷重を載せ替え、切断した対象柱に免震装置を設置し、その後、仮設支持材から免震装置に柱負担荷重を載せ替えて当該仮設支持材を撤去する作業を、全ての対象柱のうちの一本もしくは適宜本数毎に順次完了していく既設建物の免震化工法であって、仮設支持材から免震装置に柱負担荷重を載せ替えた後で、免震装置が機能することを規制するための柱用水平変位拘束手段を取り付ける作業を行うようにした。仮設支持材から免震装置に柱負担荷重を載せ替える前から、柱用水平変位拘束手段の取り付け後にわたって、仮設水平力支持手段を設置するようにしている。
【０００４】
他方、既存建物を補強する技術として、特許文献２が知られている。特許文献２の「既存建築物の補強構造」は、既存建築物の梁及び柱で囲まれた開口部内に、ブレースを鉄骨枠内に取り付けた枠付ブレースが組み込まれており、梁と柱から成る開口部と枠付ブレースの鉄骨枠との接合部には、後施工アンカーボルトを梁と柱から成る開口部側の面に打ち込まれ、さらに、鉄骨枠の外周に頭付きスタッドを設けられている既存建築物の補強構造において、梁及び柱と鉄骨枠との間の空間部には通常のコンクリートではなく、高引張強度コンクリートが充填されている。
【先行技術文献】
【特許文献】
【０００５】
【特許文献１】特開２００７−３０８９７９号公報
【特許文献２】特開平９−３１７１９８号公報
【発明の概要】
【発明が解決しようとする課題】
【０００６】
特許文献１が開示しているように、上下方向柱軸力（柱負担荷重）を既存柱（対象柱）から、これに隣接配置している仮設支持材に載せ替え、切断した既存柱に免震装置を設置して既設建物を免震化する場合、既存柱を切断してから、免震作用が得られる免震装置の設置完了までの期間に、地震力などの大きな水平外力が加わると、既設建物は危険な状態に晒される。このような事態を考慮して、既設建物には、少なくとも上記期間中、水平外力に抵抗させるための仮設構造が設置されている。
【０００７】
特許文献１では、既設建物の柱梁架構の内部空間に、柱梁接合部間に斜めに渡して、ブレースを設置している。ブレースの端部は、後施工アンカーにより、柱梁接合部に接合されている。ブレースは周知のように、水平方向力を、ブレースの斜め軸方向に作用する圧縮力と引張力で支持するため、ブレースの端部が接合される柱梁接合部には、後施工アンカーを介して、既存柱に沿う上下方向の力と、既存梁に沿う左右方向の力が作用する。
【０００８】
既存柱は、上記期間中、上下方向柱軸力を支持できないため、ブレースから入力される上下方向の力についても、これを支持することはできない。特に、引張力が作用するブレースから、後施工アンカーを通じて伝達されて柱梁接合部に入力される上下方向の力は、既存柱を既存梁から引き抜く方向に作用する。既存柱で上下方向の力を支持できないため、引き抜き作用に抗するためには、ブレースの端部を、既存梁に対して強固に接合しなければならない。
【０００９】
既存梁にブレースの端部を強固に接合するためには、ブレースからの力を既存梁に伝達する後施工アンカーの数が膨大になってしまう。後施工アンカーが膨大な数であると、その施工作業が非常に多くなり、また煩雑となって、良好な施工性を確保することが難しい。また、柱梁接合部周りに十分なスペースがなかったり、既存梁に埋設されている配筋の影響で、後施工アンカーの配置が過密になってしまうと、必要本数の後施工アンカーを施工できないなどの事態が生じてしまう。
【００１０】
特許文献２が開示している枠付ブレースを仮設構造として適用することが考えられる。枠付ブレースを、鉄骨枠の横材を既存梁に接合して、柱梁架構に設置する。この場合、鉄骨枠の縦材は、仮設支持材が障害となって、既存柱の上下に沿わせて接合することができず、当該既存柱との間に仮設支持材を挟む配置で、上下の横材（既存梁）間に立設される。
【００１１】
既存柱の上下に沿わせて縦材を接合することができるとしても、上記期間中は、既存柱が上下方向柱軸力を支持できないため、水平方向力の作用でブレースから縦材に作用する上下方向の力を既存柱に負担させることはできない。
【００１２】
枠付ブレースの場合、上下方向の力は、鉄骨枠に沿ってある程度の範囲に分散されて、既存梁に伝達される。このため、特許文献１に比して、施工される後施工アンカーを分散して配置することはできるものの、依然として既存梁に対する後施工アンカーの設置本数が多く必要で、上下方向の力が大きくなる場合には、後施工アンカーで抵抗し得る有効な範囲内に必要本数の後施工アンカーを配置しきれないという課題があった。また、枠付ブレースの場合、縦材から伝達される上下方向の力を既存柱や仮設支持材まで伝達するためには、既存梁に対し剛強な補強を施す必要がある。このため、資材コスト、施工コストが高くなってしまうおそれがあった。
【００１３】
また、鉄骨枠の縦材によって、上下方向の力を負担させるために、大きな断面寸法の縦材が必要になってしまうという問題もあった。
【００１４】
本発明は上記従来の課題に鑑みて創案されたものであって、水平外力を負担するためのブレースを通じて発生する上下方向の引き抜き力を合理的に分散させることにより、仮設構造を既存梁に接合するための後施工アンカーの施工を軽減することが可能な既存建物の免震化施工中の仮設構造を提供することを目的とする。
【課題を解決するための手段】
【００１５】
本発明にかかる既存建物の免震化施工中の仮設構造は、既存建物に設けられる柱梁架構の既存柱の中間部分を切除して形成される切除空間に免震装置を設置して、該既存建物を免震化する際に、少なくとも切除空間の形成前から免震作用が得られる免震装置の設置完了までの間、上下方向柱軸力を支持しつつ該柱梁架構に作用する水平外力を支持する既存建物の免震化施工中の仮設構造であって、上記既存柱から間隔を隔てて、上記柱梁架構の上下一対の既存梁に定着して設置され、該柱梁架構に作用する水平外力を支持する長方形状の仮設ブレース架構と、該仮設ブレース架構と上記既存柱との間に立設され、上下方向柱軸力を支持する仮設支柱と、上記仮設ブレース架構に、上記仮設支柱の上下両端部と上下一対の上記既存梁との間へ延長して設けられ、水平外力によって該仮設ブレース架構に生じる上下方向引き抜き力を伝達して該仮設支柱に支持させる延設部とを備えたことを特徴とする。
【００１６】
前記仮設ブレース架構は、上下一対の前記既存梁それぞれに定着される上下一対の枠梁と、左右一対の前記既存柱から間隔を隔てて配設され、上記枠梁を上下方向に連結する左右一対の枠柱と、これら枠柱と枠梁で取り囲まれた内部に配設されるブレースとから構成され、前記延設部は上記枠梁に一体的に設けられることを特徴とする。
【００１７】
前記延設部は、前記既存梁に定着されて当該既存梁を補強することを特徴とする。
【００１８】
前記延設部は、少なくとも前記仮設支柱の端部周辺が前記既存梁に定着されて当該既存梁を補強することを特徴とする。
【００１９】
前記延設部は、前記既存柱に対し、水平方向に接合されることを特徴とする。
【発明の効果】
【００２０】
本発明にかかる既存建物の免震化施工中の仮設構造にあっては、水平外力を負担するためのブレースを通じて発生する上下方向の引き抜き力を合理的に分散させることにより、仮設構造を既存梁に接合するための後施工アンカーの施工を軽減することができる。
【図面の簡単な説明】
【００２１】
【図１】本発明に係る既存建物の免震化施工中の仮設構造の好適な一実施形態を示す正面図である。
【図２】図１に示した既存建物の免震化施工中の仮設構造の作用を説明する説明図である。
【図３】本発明に係る既存建物の免震化施工中の仮設構造の変形例を示す、柱梁架構の要部拡大図である。
【発明を実施するための形態】
【００２２】
以下に、本発明にかかる既存建物の免震化施工中の仮設構造の好適な実施形態を、添付図面を参照して詳細に説明する。図１は、本実施形態に係る既存建物の免震化施工中の仮設構造の正面図、図２は、図１に示した仮設構造の作用を説明する説明図である。
【００２３】
図１には、免震化施工される既存建物に設けられる柱梁架構１が示されている。既存建物は、Ｓ造、ＲＣ造あるいはＳＲＣ造のいずれであっても良い。図示例は、ＲＣ造の既存建物が示されている。また、免震化施工は、既存建物を継続して使用しながら行う、居ながら施工で行われる。
【００２４】
既存建物の免震化について略述すると、免震装置２を設置する階層の全てもしくは選択した既存柱３に対して、順次免震装置２を設置していく。免震装置２を設置しない既存柱３がある場合には、当該既存柱３は上下に分断される。また、設置されている壁も上下に分断される。
【００２５】
これにより、免震装置２を設置する階層では、壁を含めて柱梁架構１が上下に分断され、分断された柱梁架構１の全ての既存柱３もしくは選択された既存柱３に設置された免震装置２が、それよりも下層に対し、それよりも上層を免震支持するようになっている。
【００２６】
免震装置２の設置作業は、概略以下の手順で行われる。まず、既存柱３に隣接させて、上下一対の既存梁４ａ，４ｂ間に仮設支柱５が設置される。仮設支柱５は、上下方向に伸縮可能に構成される。上下一対の既存梁４ａ，４ｂ間で仮設支柱５を上方へ伸長させ、仮設支柱５に上下方向柱軸力Ｆａを支持させる準備を行う。次いで、既存柱３の上下方向中間部分を切除する。切除作業により、上下方向柱軸力Ｆａが仮設支柱５に移し替えられ、仮設支柱５が、既存柱３に代わって、上下方向柱軸力Ｆａを支持する。
【００２７】
既存柱３を切除して形成された切除空間６に、免震装置２を挿入し、その上下端をぞれぞれ、切除空間６下方の下部既存柱部分３ａ及び切除空間６上方の上部既存柱部分３ｂに接合する。この接合によって免震装置２の設置が完了すると、当該免震装置２によって免震作用が発揮される。その後、仮設支柱５を下方へ収縮させ、免震装置２の設置された既存柱３に上下方向柱軸力Ｆａを移し替えて支持させる。
【００２８】
上述のようにして既存建物を免震化する際に、既存柱３による上下方向柱軸力Ｆａの支持作用が失われる、切除空間６の形成段階から免震装置２の設置までの間、好ましくは、少なくとも切除空間６の形成前から免震作用が得られる免震装置２の設置完了までの間、既存建物を健全に保持するために、柱梁架構１に対して仮設構造が設置される。
【００２９】
仮設構造は、既存柱３に代わって上下方向柱軸力Ｆａを支持する機能と、柱梁架構１に作用する水平外力Ｆｂを支持する機能を発揮する。上下方向柱軸力Ｆａを支持する機能は仮設支柱５によって担われる。従って、仮設構造には、仮設支柱５が含まれる。
【００３０】
柱梁架構１内の開口部には、長方形状の仮設ブレース架構７が設けられる。仮設ブレース架構７は、長方形の上辺及び下辺に位置して設けられる、等しい長さの上下一対の枠梁８ａ，８ｂと、上下一対の枠梁８ａ，８ｂの右端同士及び左端同士を上下方向に連結する、等しい長さの左右一対の枠柱９と、これら枠柱９と枠梁８ａ，８ｂで取り囲まれた内部に配設されるブレース１０とから構成される。
【００３１】
仮設ブレース架構７は、上下一対の枠梁８ａ，８ｂがそれぞれ、柱梁架構１の上下一対の既存梁４ａ，４ｂに接合されて、柱梁架構１内の開口部に設置される。仮設ブレース架構７は、仮設支柱５を避けて、左右一対の枠柱９それぞれが、左右一対の既存柱３から間隔を隔てて位置するように、柱梁架構１に設置される。
【００３２】
仮設ブレース架構７は、４本の枠柱９と枠梁８ａ，８ｂによって、長方形状に形成される。ブレース１０として図示例では、Ｘ型ブレースが示されている。しかしながら、ブレース１０としては、Ｋ型やＶ型、Ｙ型など種々の形態が知られていて、どのような形態のブレース１０を組み込んでも良い。
【００３３】
斜め方向の構造要素を含むブレース１０は、柱梁架構１に加わる水平外力Ｆｂを、上方の既存梁４ａから斜めに下方の既存梁４ｂへ伝達し、当該水平外力Ｆｂを、その軸方向に作用する圧縮力及び引張力として支持するようになっている。仮設ブレース架構７の枠柱９、枠梁８ａ，８ｂ及びブレース１０は、鉄骨材で形成される。図示例では、枠柱９と枠梁８ａ，８ｂで組んだ長方形状の四隅に、ブラケット１１を介して、Ｘ型ブレース１０のブレース材１０ａ，１０ｂの端部がそれぞれ接合されている。
【００３４】
仮設ブレース架構７は詳細には、次のようにして、柱梁架構１内に設置される。下方の既存梁４ｂには、左右一対の枠柱９間において、既存梁４ｂの長さ方向に沿って複数の後施工アンカー１２が施工される。次いで、後施工アンカー１２の上端を露出させる高さで、下方の既存梁４ｂ上には、無収縮モルタル１３が施工される。施工された無収縮モルタル１３の上に、仮設ブレース架構７が設置される。仮設ブレース架構は、枠梁８ａ，８ｂ等を予め組んで作成されている。後施工アンカー１２の施工範囲は、既存柱３間であっても良い。
【００３５】
設置された仮設ブレース架構７は、後施工アンカー１２の上端にナットで下方の枠梁８ｂが締結されることにより、下方の既存梁４ｂ上に定着される。また、上方の既存梁４ａには、左右一対の枠柱９間において、既存梁４ａの長さ方向に沿って複数の後施工アンカー１２が施工される。次いで、後施工アンカー１２の下端にナットで上方の枠梁８ａが締結され、その後、枠梁８ａと既存梁４ａの隙間に無収縮モルタル１３が充填されることにより、仮設ブレース架構７は、上方の既存梁４ａ下に定着される。上方の既存梁４ａについても、後施工アンカー１２の施工範囲は、既存柱３間であっても良い。
【００３６】
上述した仮設支柱５は、上下一対の既存梁４ａ，４ｂの間であって、仮設ブレース架構７の左右一対の枠柱９と左右一対の既存柱３との間にそれぞれ立設される。各仮設支柱５は、上記の通り、少なくとも切除空間６の形成前から免震作用が得られる免震装置２の設置完了までの間、既存柱３に代わって、上下方向柱軸力Ｆａを支持する。
【００３７】
仮設ブレース架構７には、これより既存柱３側へ延長して、延設部１４ａ，１４ｂが設けられる。延設部１４ａ，１４ｂは、上下一対の枠梁８ａ，８ｂそれぞれに一体的に、枠梁８ａ，８ｂの長さ方向に既存梁４ａ，４ｂに沿って設けられ、左右一対の枠柱９から既存柱３側へ張り出される。延設部１４ａ，１４ｂは、枠梁８ａ，８ｂの一部として一体であっても良いし、各種接合方法で延設部１４ａ，１４ｂを枠梁８ａ，８ｂに接合して一体化しても良い。
【００３８】
延設部１４ａ，１４ｂも、鉄骨材で形成される。延設部１４ａ，１４ｂの断面形態は、梁枠８ａ，８ｂと同一であっても良いし、梁枠８ａ，８ｂに対して、断面二次モーメントや断面係数を増した形態としたり、減らした形態としても良い。
【００３９】
下方の延設部１４ｂは、仮設ブレース架構７から仮設支柱５の下端部５ａ下に達する長さで形成される。上方の延設部１４ａも、仮設ブレース架構７から仮設支柱５の上端部５ｂ上に達する長さで形成される。従って、延設部１４ａ，１４ｂは、仮設支柱５の上下両端部５ａ，５ｂと上下一対の既存梁４ａ，４ｂとの間それぞれに延長して設けられる。
【００４０】
これにより、延設部１４ａ，１４ｂは、下方の既存梁４ｂ上もしくは上方の既存梁４ａ下に、既存梁４ａ，４ｂと仮設支柱５との間に挟み込んで設けられる。言い換えれば、下方の既存梁４ｂ上もしくは上方の既存梁４ａ下に設置された上下一対の延設部１４ａ，１４ｂの間に、仮設支柱５が設けられる。
【００４１】
仮設支柱５は上下方向の力（上下方向柱軸力Ｆａ）のみを負担するので、仮設支柱５の上下両端部５ａ，５ｂは、延設部１４ａ，１４ｂに接合しても、接合しなくても良い。仮設ブレース架構７から張り出す上下左右の延設部１４ａ，１４ｂは、梁枠８ａ，８ｂと同様に、枠梁８ａ，８ｂから連続してその長さ方向全長にわたって、力を伝達する後施工アンカー１２及び無収縮モルタル１３を介して、上下の既存梁４ａ，４ｂそれぞれに接合されて定着される。
【００４２】
これにより、仮設ブレース架構７から仮設支柱５にわたる間の既存梁４ａ，４ｂの部分が、延設部１４ａ，１４ｂによって補強される。また、延設部１４ａ，１４ｂは、仮設ブレース架構７の四隅に発生する力を仮設支柱５に分散させて伝達する。
【００４３】
次に、本実施形態に係る既存建物の免震化施工中の仮設構造の作用について説明する。図１及び図２に示すように、免震装置２を設置する免震化施工対象の階層では、地震力等の水平外力Ｆｂが作用すると、この水平外力Ｆｂは、上方の既存梁４ａから仮設ブレース架構７に伝達され、下方の既存梁４ｂ側に支持反力をとって支持される。
【００４４】
水平外力Ｆｂが上方の既存梁４ａに横向きに作用すると、後施工アンカー１２がこの水平外力Ｆｂを仮設ブレース架構７の上側の枠梁８ａにせん断作用で伝達する。水平外力Ｆｂが上側の枠梁８ａから入力されたブレース架構７では、図中、右下がりの斜め傾斜のブレース材１０ｂ（以下、圧縮ブレース材という）にその軸方向に沿って圧縮力が発生すると同時に、左下がりの斜め傾斜のブレース材１０ａ（以下、引張ブレース材という）にその軸方向に沿って引張力が発生する。
【００４５】
引張ブレース材１０ａの両端部が接合される仮設ブレース架構７の左下及び右上の隅角部周辺では、上下それぞれの枠梁８ａ，８ｂを介し、後施工アンカー１２を通じて、上下それぞれの既存梁４ａ，４ｂに対し局所的に、左側の枠柱９を下方の既存梁４ｂから引き上げ、また、右側の枠柱９を上方の既存梁４ａから引き下ろす引き抜き力Ｆｃが発生する。引き抜き力Ｆｃの一部は、枠柱９が負担する。
【００４６】
なお、圧縮ブレース材１０ｂの両端部が接合される仮設ブレース架構７の左上及び右下の隅角部周辺では、上下それぞれの枠梁８ａ，８ｂを介して、圧縮ブレース材１０ｂの端部を上下それぞれの既存梁４ａ，４ｂに押し付ける圧縮力Ｆｄが発生する。この圧縮力Ｆｄは、既存梁４ａ，４ｂに反力Ｆｅを得て、当該既存梁４ａ，４ｂによって十分に支持される。
【００４７】
本実施形態では、仮設ブレース架構７に延設部１４ａ，１４ｂを設けているので、仮設ブレース架構７の隅角部周辺では、引張ブレース材１０ａに発生した引張力による引き抜き力Ｆｃが延設部１４ａ，１４ｂへ分散される。
【００４８】
仮設ブレース架構７の左下隅角部周りについて説明すると、延設部１４ｂは、下方の既存梁４ｂに定着されて当該既存梁４ｂを補強しつつ、既存梁４ｂと仮設支柱５の下端部５ａとの間に設けられているので、延設部１４ｂに伝達された引き抜き力Ｆｃは、仮設支柱５の下端部５ａから仮設支柱５に作用し、当該仮設支柱５によって引き抜き力Ｆｃを支持することができる。
【００４９】
すなわち、上下方向柱軸力Ｆａを支持している仮設支柱５が引き抜き力Ｆｃに抵抗する作用を負担するので、上下方向柱軸力Ｆａが引き抜き力Ｆｃを相殺し、仮設ブレース架構７の左下隅角部周辺で既存梁４ｂが引き抜き力Ｆｃを支持する負担を軽減もしくはなくすことができる。
【００５０】
仮設ブレース架構７の右上隅角部周りについても同様であって、延設部１４ａが、上方の既存梁４ａに定着されて当該既存梁４ａを補強しつつ、既存梁４ａと仮設支柱５の上端部５ｂとの間に設けられているので、延設部１４ａに伝達された引き抜き力Ｆｃは、仮設支柱５の上端部５ｂから仮設支柱５に作用し、当該仮設支柱５によって引き抜き力Ｆｃを支持することができる。これにより、仮設ブレース架構７の右上隅角部周辺で既存梁４ａが引き抜き力Ｆｃを支持する負担を軽減もしくはなくすことができる。
【００５１】
本実施形態に係る既存建物の免震化施工中の仮設構造は言い換えれば、特許文献２における枠付ブレースの縦材が負担する引き抜き側の応力を、既設梁４ａ，４ｂを介することなく、仮設支柱５へ伝達するもので、横材に相当する枠梁８ａ，８ｂの延設部１４ａ，１４ｂが仮設支柱５へ引き抜き側の応力を伝達し、仮設支柱５が負担している上下方向柱軸力Ｆａでこの応力を相殺し、これによって、既設梁４ａ，４ｂに施工すべき後施工アンカー１２の施工数量を減少させることができるようになっている。
【００５２】
仮設支柱５は、その上下軸方向強度が上下方向柱軸力Ｆａと引き抜き力Ｆｃの双方を支持し得る強度に設定される。
【００５３】
このように上下方向の引き抜き力Ｆｃを、仮設ブレース架構７の延設部１４ａ，１４ｂによって仮設支柱５に合理的に分散させることができることにより、既存梁４ａ，４ｂの支持負担を軽減等することができるので、水平外力Ｆｂを支持するブレース１０を備えた仮設ブレース架構７に生じる力を既存梁４ａ，４ｂに伝達するために、仮設ブレース架構７と既存梁４ａ，４ｂとの間に施工される後施工アンカー１２の施工数を削減することができる。その結果、仮設資材コスト、施工コストも低減することができる。
【００５４】
また、引き抜き力Ｆｃを延設部１４ａ，１４ｂに分散できることにより、仮設ブレース架構７の枠柱９に作用する引き抜き力Ｆｃも軽減できて、枠柱９の断面寸法も小さく抑えることができる。
【００５５】
延設部１４ａ，１４ｂは、仮設支柱５に向かう枠梁８ａ，８ｂの延長部分として形成することができ、仮設ブレース架構７の構成が簡単であると共に、枠梁８ａ，８ｂの既存梁４ａ，４ｂへの施工と一連に、柱梁架構１内に容易に設置することができる。
【００５６】
図３には、上記実施形態の変形例が示されている。図３は、柱梁架構の要部拡大図である。図では、柱梁架構１の左上隅角部を示しているが、右上隅角部も同様である。
【００５７】
この変形例では、上方の延設部１４ａは、仮設支柱５の上端部５ｂ周辺（図中、Ｄａで示す）が上方の既存梁４ａに定着されて当該既存梁４ａを補強するように構成されている。言い換えれば、引き抜き力Ｆｃの一部を負担する枠柱９上方の周辺（図中、Ｄｂで示す）では、後施工アンカー１２の設置及びモルタル１３の充填が行われず、従って接合・定着がなされず、上方の枠梁８ａ及び延設部１４ａと上方の既存梁４ａとの間に隙間１６が形成される。上方の枠梁８ａの一般部分（図中、Ｄｃで示す）については、上述した通り、後施工アンカー１２及びモルタル１３が施工される。
【００５８】
本変形例では、枠柱９直上周辺で上方の枠梁８ａや延設部１４ａを上方の既存梁４ａに接合しないため、上記実施形態で説明した枠柱９の負担する引き抜き力Ｆｃや圧縮力Ｆｄは既存梁４ａには伝達されない。このため、上方の延設部１４ａを、少なくとも仮設支柱５の上端部５ｂ周辺で上方の既存梁４ａに定着して当該既存梁４ａを補強するようにすれば、それ以外の部位の定着施工を省略して、上方の既存梁４ａの補強範囲を狭めることができ、後施工アンカー１２の施工数をさらに低減することができる。枠梁８ａや延設部１４ａと既存梁４ａとの間の隙間１６は、枠柱９に作用する圧縮力Ｆｄによって生じる変形以上であればよい。これは、下方の枠梁８ｂ及び延設部１４ｂと既存梁４ｂとの関係についても、同様である。
【００５９】
上方の延設部１４ａは、既存柱３に対し、水平方向に接合するようにしてもよい。すなわち、図示するように、上方の延設部１４ａの水平方向端部１４ｃを既存柱３の立面３ｃに当接させ、横向き水平方向に向けた後施工アンカー１７で上方の延設部１４ａを既存柱３に接合するようにしても良い。
【００６０】
このように構成すれば、上方の既存梁４ａと枠梁８ａ及び延設部１４ａとを接合する後施工アンカー１２に加えて、上方の延設部１４ａと既存柱３との水平方向の接合により、さらに適切に水平外力Ｆｂを仮設ブレース架構７に入力することができ、既存建物の免震化施工中の仮設構造をより有効に機能させることができる。
【００６１】
免震化施工では、既存柱３及び既存梁４ａ，４ｂを補強するために増し打ちをする場合がある。本実施形態における既存柱３及び既存梁４ａ，４ｂは、増し打ちされる場合には、当該増し打ち部分を含むものである。
【符号の説明】
【００６２】
１  柱梁架構
２  免震装置
３  既存柱
４ａ，４ｂ  上下一対の既存梁
５  仮設支柱
５ａ  仮設支柱の下端部
５ｂ  仮設支柱の上端部
６  切除空間
７  仮設ブレース架構
８ａ，８ｂ  上下一対の枠梁
９  左右一対の枠柱
１０  ブレース
１４ａ，１４ｂ  延設部
Ｆａ  上下方向柱軸力
Ｆｂ  水平外力
Ｆｃ  上下方向引き抜き力
【図１】
2015166528.tif 000003
【図２】
2015166528.tif 000004
【図３】
2015166528.tif 000005